(57)【要約】【課題】指針型の電気計測器において作業者が機器の使用形態や測定区分を間違えるのを防止可能な測定モード選択用カバーを提供する。【解決手段】電流、又は／及び、電圧を測定レンジ毎に測定する電気計測器に適用される測定モード選択用カバー５０であって、測定モード選択用カバー５０は、電気計測器の電流用のレンジ選択孔群と電圧用のレンジ選択孔群の何れか一方だけを選択的に露出させるレンジカバー６０を備え、レンジカバー６０は、位置決め部材によって、電気計測器の測定レンジ選択部及び測定表示部を回避した前記機器外装体表面に位置決めされるベース部材６１と、このベース部材６１の一端縁に対して冊子状に開閉自在に支持されて第１の位置にある時に電流測定用のレンジ選択孔群だけを露出させ、且つ第２の位置にある時に電圧測定用のレンジ選択孔群だけを露出させる開閉片６３と、を備えている。【選択図】図２
2011220895.tif 000002
【特許請求の範囲】
【請求項１】
電流、又は／及び、電圧を測定レンジ毎に測定する電気計測器に適用される測定モード選択用カバーであって、
前記電気計測器は、電流、又は／及び、電圧を測定レンジ毎に測定する測定回路と、該測定回路を内部に収容した機器外装体と、該機器外装体表面に配置されて測定レンジ毎に別個に設けられ且つ選択ピンを挿入することにより前記測定回路が測定する測定レンジを選択できる複数のレンジ選択孔が配置された測定レンジ選択部と、前記選択ピンが挿入された特定のレンジ選択孔に対応する測定レンジにて前記測定回路が測定した電流又は電圧の測定結果を表示する測定表示部と、当該測定モード選択用カバーを位置決めする位置決め部材と、を備え、
前記測定レンジ選択部は、電流測定用のレンジ選択孔群と、電圧測定用のレンジ選択孔群と、を備え、
前記測定モード選択用カバーは、前記電流用のレンジ選択孔群と前記電圧用のレンジ選択孔群の何れか一方だけを選択的に露出させるレンジカバーを備え、
前記レンジカバーは、前記位置決め部材によって前記測定レンジ選択部及び前記測定表示部を回避した前記機器外装体表面に位置決めされるベース部材と、該ベース部材の一端縁に対して冊子状に開閉自在に支持されて第１の位置にある時に前記電流測定用のレンジ選択孔群だけを露出させ、且つ第２の位置にある時に前記電圧測定用のレンジ選択孔群だけを露出させる開閉片と、を備えたことを特徴とする測定モード選択用カバー。
【請求項２】
前記測定モード選択用カバーは、前記レンジカバーと、特定の前記レンジ選択孔のみを露出させる選択孔特定用カバー群と、を備え、
前記選択孔特定用カバー群は、前記電流測定用のレンジ選択孔群が露出されているときに、複数枚重なった状態で前記電流測定用のレンジ選択孔群を覆うように配置される電流測定用の選択孔特定用カバー群と、前記電圧測定用のレンジ選択孔群が露出されているときに、複数枚重なった状態で前記電圧測定用のレンジ選択孔群を覆うように配置される電圧測定用の選択孔特定用カバー群と、を備え、
個々の前記選択孔特定用カバーは、前記電流測定用のレンジ選択孔群、又は、前記電圧測定用のレンジ選択孔群を覆う面積を有したカバー本体と、該カバー本体の一端縁から夫々突設されて対応するレンジ値が表示された見出し部と、前記カバー本体に貫通形成された前記各レンジ選択孔に対応する貫通孔とを備え、前記各カバー本体は略同形状であり、且つ前記各見出し部は前記各カバー本体の一端縁の異なった位置から突設されており、
積層した前記選択孔特定用カバーを対応するレンジ選択孔群を覆う位置にセットした状態で特定の選択孔特定用カバーを除去した時に、残りの全ての選択孔特定用カバーに形成された貫通孔のうち、前記除去された選択孔特定用カバーの見出し部に表示されたレンジ値に対応する貫通孔のみが貫通した状態となっていることを特徴とする請求項１に記載の測定モード選択用カバー。
【請求項３】
前記選択孔特定用カバーのカバー本体には、当該選択孔特定用カバーに設けられた見出し部に表示されたレンジ値に対応する前記レンジ選択孔と対応する部分に前記貫通孔が形成されていないことを特徴とする請求項２に記載の測定モード選択用カバー。
【請求項４】
前記選択孔特定用カバーのカバー本体は、前記電気計測器の測定表示部に付されている目盛りを補助する補助目盛りを有し、前記選択孔特定用カバーを前記測定表示部上に配置することで、前記選択孔特定用カバーの補助目盛りの目盛り位置が、前記測定表示部の目盛り位置と一致することを特徴とする請求項１に記載の測定モード選択用カバー。
【発明の詳細な説明】
【技術分野】
【０００１】
本発明は、測定モード選択用カバーに係り、特に指針型の電気計測器に好適なものである。
【背景技術】
【０００２】
電気回路等の電流や電圧を測定する電気計測器として電流計や電圧計、或いはこれらを組み合わせた電流計／電圧計が広く知られている。
電流計には直流電流を測定する直流電流計と交流電流を測定する交流電流計、電圧計には直流電圧を測定する直流電圧計と交流電圧を測定する交流電圧計がある。
また電流計／電圧計には、アナログ型（所謂指針型）とデジタル型（所謂マルチメータ）がある。
【０００３】
図１０は、アナログ型の直流電流計／電圧計の構成を示した概略図である。
この図１０に示す直流電流計／電圧計１００は、作業者が携帯可能であって機器本体の内部に電流又は電圧を測定レンジ毎に測定する図示しない測定回路が設けられている。
機器本体１０１の上面には、直流電流又は直流電圧の測定レンジを選択する測定レンジ選択部１１０が設けられている。測定レンジ選択部１１０には、直流電流、又は直流電圧の測定レンジを選択するための複数のレンジ選択孔が配置されており、作業者がレンジ選択孔に選択ピンを挿入することにより、選択ピンが挿入されたレンジ選択孔に対応する測定回路が選択される。これにより、対応する測定回路で測定された電流値又は電圧値が測定表示部１２０にアナログ表示（指針表示）される。
なお、電子計測器の先行技術文献としては、計器本体に設けられた高レンジ用の接続端子の接続孔を自動的に開閉する安全機構を設けた電気計測器が開示されている（特許文献１）。
【先行技術文献】
【特許文献】
【０００４】
【特許文献１】実用新案登録第３０６９７８０号公報
【発明の概要】
【発明が解決しようとする課題】
【０００５】
しかしながら、上記図１０に示した直流電流計／電圧計１００では、作業者が測定の際に「電流計」と「電圧計」、或いは「測定区分（測定レンジ）」の選択等を間違えやすく、その結果、機器内部に設けられている測定回路に過電流が流れるなどして測定回路やヒューズを損傷させるおそれがあった。
また、図１０に示した直流電流計／電圧計１００では、複数の測定レンジを備えているため、測定表示部１２０に複数の目盛りが設けられている。このため、作業者が測定した値を読み間違えやすいという問題点があった。
本発明は上記したような点を鑑みてなされたものであり、指針型の電気計測器において作業者が機器の使用形態や測定区分を間違えるのを防止可能な測定モード選択用カバーを提供することを目的とする。また指針型の電気計測器において、作業者が指針の読み間違えるのを防止可能な測定モード選択用カバーを提供することを目的とする。
【課題を解決するための手段】
【０００６】
上記目的を達成するため、請求項１に記載の本発明は、電流、又は／及び、電圧を測定レンジ毎に測定する電気計測器に適用される測定モード選択用カバーであって、前記電気計測器は、電流、又は／及び、電圧を測定レンジ毎に測定する測定回路と、該測定回路を内部に収容した機器外装体と、該機器外装体表面に配置されて測定レンジ毎に別個に設けられ且つ選択ピンを挿入することにより前記測定回路が測定する測定レンジを選択できる複数のレンジ選択孔が配置された測定レンジ選択部と、前記選択ピンが挿入された特定のレンジ選択孔に対応する測定レンジにて前記測定回路が測定した電流又は電圧の測定結果を表示する測定表示部と、前記測定モード選択用カバーを位置決めする位置決め部材と、を備え、前記測定レンジ選択部は、電流測定用のレンジ選択孔群と、電圧測定用のレンジ選択孔群と、を備え、前記測定モード選択用カバーは、前記電流用のレンジ選択孔群と前記電圧用のレンジ選択孔群の何れか一方だけを選択的に露出させるレンジカバーを備え、前記レンジカバーは、前記位置決め部材によって前記測定レンジ選択部及び前記測定表示部を回避した前記機器外装体表面に位置決めされるベース部材と、該ベース部材の一端縁に対して冊子状に開閉自在に支持されて第１の位置にある時に前記電流測定用のレンジ選択孔群だけを露出させ、且つ第２の位置にある時に前記電圧測定用のレンジ選択孔群だけを露出させる開閉片と、を備えたことを特徴とする。
本発明によれば、電流測定時に誤って電圧測定用のレンジ選択群の中ら測定レンジを選択したり、或いは電圧測定時に誤って電流測定用のレンジ選択群の中ら測定レンジを選択したりする誤使用を防止することができる。
【０００７】
請求項２に記載の本発明は、前記測定モード選択用カバーは、前記レンジカバーと、特定の前記レンジ選択孔のみを露出させる選択孔特定用カバー群と、を備え、前記選択孔特定用カバー群は、前記電流測定用のレンジ選択孔群が露出されているときに、複数枚重なった状態で前記電流測定用のレンジ選択孔群を覆うように配置される電流測定用の選択孔特定用カバー群と、前記電圧測定用のレンジ選択孔群が露出されているときに、複数枚重なった状態で前記電圧測定用のレンジ選択孔群を覆うように配置される電圧測定用の選択孔特定用カバー群と、を備え、個々の前記選択孔特定用カバーは、前記電流測定用のレンジ選択孔群、又は、前記電圧測定用のレンジ選択孔群を覆う面積を有したカバー本体と、該カバー本体の一端縁から夫々突設されて対応するレンジ値が表示された見出し部と、前記カバー本体に貫通形成された前記各レンジ選択孔に対応する貫通孔とを備え、前記各カバー本体は略同形状であり、且つ前記各見出し部は前記各カバー本体の一端縁の異なった位置から突設されており、積層した前記選択孔特定用カバーを対応するレンジ選択孔群を覆う位置にセットした状態で特定の選択孔特定用カバーを除去した時に、残りの全ての選択孔特定用カバーに形成された貫通孔のうち、前記除去された選択孔特定用カバーの見出し部に表示されたレンジ値に対応する貫通孔のみが貫通した状態となっていることを特徴とする。
本発明によれば、作業者が電流又は電圧測定時に選択レンジを誤って選択するといった誤使用を防止することができる。
【０００８】
請求項３に記載の本発明は、前記選択孔特定用カバーのカバー本体には、当該選択孔特定用カバーに設けられた見出し部に表示されたレンジ値に対応する前記レンジ選択孔と対応する部分に前記貫通孔が形成されていないことを特徴とする。
本発明によれば、レンジ選択孔群を覆う位置にセットした状態で特定の選択孔特定用カバーを除去した場合は、残りの全ての選択孔特定用カバーに形成された貫通孔のうち、除去された選択孔特定用カバーの見出し部に表示されたレンジ値に対応する貫通孔のみが貫通した状態とすることができる。
請求項４に記載の本発明は、前記選択孔特定用カバーのカバー本体は、前記電気計測器の測定表示部に付されている目盛りを補助する補助目盛りを有し、前記選択孔特定用カバーを前記測定表示部上に配置することで、前記選択孔特定用カバーの補助目盛りの目盛り位置が、前記測定表示部の目盛り位置と一致することを特徴とする。
本発明によれば、測定表示部の正確な目盛りを容易に把握できるので作業者が指針の読み間違えるのを防止すること可能になる。
【発明の効果】
【０００９】
本発明の測定モード選択用カバーによれば、電流測定時に誤って電圧測定用のレンジ選択群の中ら測定レンジを選択したり、或いは電圧測定時に誤って電流測定用のレンジ選択群の中ら測定レンジを選択したりするといった誤使用を防止することができる。
【図面の簡単な説明】
【００１０】
【図１】本発明の実施形態に係る測定モード選択用カバーが適用可能な電気計測器の概略構成を示した図である。
【図２】本実施形態の係る測定モード選択用カバーの全体構成を示した図である。
【図３】本実施形態に係る測定モード選択用カバーの一部を分解した図である。
【図４】選択孔特定用カバー群を構成する個々の選択孔特定用カバーを示した図である。
【図５】選択孔特定用カバー群を構成する個々の選択孔特定用カバーを示した図である。
【図６】選択孔特定用カバーの着脱の様子を示した図である。
【図７】本実施形態の測定モード選択用カバーの使用方法の説明図である。
【図８】本実施形態の測定モード選択用カバーの使用方法の説明図である。
【図９】選択孔特定用カバーの補助目盛りの利用方法を示した図である。
【図１０】アナログ型の直流電流計／電圧計の構成を示した概略図である。
【発明を実施するための形態】
【００１１】
図１は、本発明の実施形態に係る測定モード選択用カバーが適用可能な電気計測器の概略構成を示した図であり、（ａ）は電気計測器の全体概略図、（ｂ）は測定レンジ選択部の拡大図、（ｃ）は測定表示部の拡大図である。
この図１に示す電気計測器１は、アナログ型（指針型）の交流電流計／電圧計であり、機器外装体２の内部に交流電流又は交流電圧を測定レンジ毎に測定する測定回路（図示しない）が設けられている。
図１（ａ）に示すように機器外装体２の表面であって、その上方両側には、交流電流又は交流電圧の測定時に使用する一組のリード線（図示しない）をそれぞれ接続可能な接続端子３、４が設けられている。この接続端子３、４は、後述する測定モード選択用カバーの位置決め部材としても機能する。接続端子３、４間には、交流電流又は交流電圧の測定レンジを選択する測定レンジ選択部１０が設けられている。
測定レンジ選択部１０は、図１（ｂ）に示すように交流電流の測定レンジを選択するためのレンジ選択孔群２０と、交流電圧の測定レンジを選択するためのレンジ選択孔群３０が配置されている。
この場合、交流電流用のレンジ選択孔群２０は、測定可能範囲が「０．１５Ａ」とされる第レンジ選択孔２１、測定可能範囲が「０．３Ａ」とされるレンジ選択孔２２、測定可能範囲が「０．７５Ａ」とされるレンジ選択孔２３、測定可能範囲が「１．５Ａ」とされるレンジ選択孔２４、測定可能範囲が「３Ａ」とされるレンジ選択孔２５、測定可能範囲が「７．５Ａ」とされるレンジ選択孔２６、測定可能範囲が「１５Ａ」とされるレンジ選択孔２７、測定可能範囲が「３０Ａ」とされるレンジ選択孔２８という８個のレンジ選択孔２１〜２８が設けられている。
【００１２】
一方、交流電圧用のレンジ選択孔群３０は、測定可能範囲が「３０Ｖ」とされるレンジ選択孔３１、測定可能範囲が「７５Ｖ」とされるレンジ選択孔３２、測定可能範囲が「１５０Ｖ」とされるレンジ選択孔３３、測定可能範囲が「３００Ｖ」とされるレンジ選択孔３４、測定可能範囲が「７５０Ｖ」とされるレンジ選択孔３５という５個のレンジ選択孔３１〜３５が設けられている。
図１に示す電気計測器１では、測定レンジ選択部１０の何れかの１つのレンジ選択孔に選択ピン５を挿入することにより、選択ピン５が挿入されたレンジ選択孔に対応する測定回路が選択される。例えば、図１（ｂ）では、交流電圧用のレンジ選択孔群３０のレンジ選択孔３４に選択ピン５が挿入されているので、当該電気計測器１の測定可能範囲は「０〜３００Ｖ」となる。そして、その測定結果が図１（ｃ）に示す測定表示部４０に表示されることになる。
測定表示部４０には、「０〜３００」迄の目盛り、「０〜１５０」迄の目盛り、「０〜７５」迄の目盛りという３種類の目盛り４１が付されており、作業者は選択ピン５を挿入したレンジ選択孔に対応した目盛り４１と指針４２の位置から電流値又は電圧値を読み取るようにしている。
【００１３】
図２は、本実施形態の係る測定モード選択用カバーの全体構成を示した図であり、図２（ａ）は正面図、図２（ｂ）は側面図である。また図３（ａ）（ｂ）は、本実施形態に係る測定モード選択用カバーの一部を分解した分解図である。
図２（ａ）に示す測定モード選択用カバー５０は、レンジカバー６０と選択孔特定用カバー群７０、８０とを備えている。
レンジカバー６０は、ベース部材６１、リング６２、及び開閉片６３により構成されている。ベース部材６１は、例えばアクリル板等により構成され、上記図１に示した電気計測器１に設けられている接続端子３、４を基準にして、当該測定モード選択用カバー５０を電気計測器１の測定レンジ選択部１０及び測定表示部４０を回避した機器外装体２表面に位置決めするために設けられている。このため、ベース部材６１には、接続端子３、４の位置及び形状に合わせたＵ字状の切り欠き部６１ａ、６１ｂが設けられている。
開閉片６３は、リング６２によりベース部材６１の一端縁に対して冊子状に開閉自在に支持されている。開閉片６３には、開閉動作を行った時に開閉片６３の一部が接続端子３、４に当接するのを回避するためにＵ字状の切り欠き部６３ａ、６３ｂが設けられている。
なお、レンジカバー６０を構成するベース部材６１及び開閉片６３は、例えばアクリル板により構成し、その厚みは作業中に変形しない程度の厚み、例えば２ｍｍ〜３ｍｍ程度とすることが好ましい。また、ベース部材６１及び開閉片６３の色は、使用しないレンジ選択孔群を覆うことから透明以外の色であることが好ましく、透明以外の色であれば特に限定されるものではない。
【００１４】
選択孔特定用カバー群７０は、電気計測器１の電流測定用のレンジ選択孔群２０全体を覆うと共に、レンジ選択孔群２０を構成する特定のレンジ選択孔２１〜２８の何れかのレンジ選択孔２１〜２８のみを露出させることが可能とされる。
このため、選択孔特定用カバー群７０は、複数枚の選択孔特定用カバーが重なった状態で電流測定用のレンジ選択孔群２０を覆うように配置されている。
一方、選択孔特定用カバー群８０は、電気計測器１の電圧測定用のレンジ選択孔群３０全体を覆うと共に、レンジ選択孔群３０を構成する特定のレンジ選択孔３１〜３５の何れかのレンジ選択孔３１〜３５のみを露出させることが可能とされる。このため、選択孔特定用カバー群８０も、上記選択孔特定用カバー群７０と同様、複数枚の選択孔特定用カバーが重なった状態で電流測定用のレンジ選択孔群３０を覆うように配置されている。
これら選択孔特定用カバー群７０、８０は、図３（ａ）（ｂ）に示すように、リング６２に対して着脱自在に構成されている。
【００１５】
図４及び図５は、選択孔特定用カバー群を構成する個々の選択孔特定用カバーの構成を示した図である。また図６は選択孔特定用カバーを取り外す際の様子を示した図である。
図４（ａ）に示す選択孔特定用カバー群７０は、図４（ｂ）〜（ｉ）に示すように、電気計測器１に設けられているレンジ選択孔群２０のレンジ選択孔２１〜２８（図１（ｂ）参照）の数に対応した８枚の選択孔特定用カバー７１〜７８により構成される。
各選択孔特定用カバー７１〜７８は、例えば透明なアクリル板等により構成され、電流測定用のレンジ選択孔群２０全体を覆う面積を有し、略同形状とされる各カバー本体７１ａ〜７８ａから構成される。
各カバー本体７１ａ〜７８ａには、それぞれ一端縁から夫々突設されて対応するレンジ値が表示された見出し部７１ｂ〜７８ｂが取り付けられている。各見出し部７１ｂ〜７８ｂは、各カバー本体７１ａ〜７８ａの一端縁の異なった位置から突設しており、これにより、選択孔特定用カバー７１〜７８を積層状態で重ねた場合でも全ての見出し部７１ｂ〜７８ｂの見出し（レンジ値）が作業者から見えるようになっている。
またカバー本体７１ａには、電気計測器１に設けられているレンジ選択孔２１〜２８に対応する位置にそれぞれ貫通孔７１ｃが形成されている。但し、カバー本体７１ａでは、レンジ選択孔２１〜２８のうち、レンジ選択孔２１に対応する位置のみ貫通孔７１ｃを形成しないようにしている。つまり、カバー本体７１ａでは、レンジ選択孔２１〜２８のうち、レンジ選択孔２２〜２８に対応する位置に貫通孔７１ｃが形成されている。
またカバー本体７２ａには、レンジ選択孔２１〜２８に対応する位置にそれぞれ貫通孔７２ｃが形成されている。但し、カバー本体７２ａでは、レンジ選択孔２１〜２８のうち、レンジ選択孔２２に対応する位置のみ貫通孔７２ｃを形成しないようにしている。
【００１６】
以下同様に、カバー本体７３ａでは、レンジ選択孔２１〜２８に対応する位置のうち、レンジ選択孔２３に対応する位置のみ貫通孔７３ｃを形成しないようにし、カバー本体７４ａでは、レンジ選択孔２１〜２８に対応する位置のうち、レンジ選択孔２４に対応する位置のみ貫通孔７４ｃを形成しないようにする。カバー本体７５ａでは、レンジ選択孔２１〜２８に対応する位置のうち、レンジ選択孔２５に対応する位置のみ貫通孔７５ｃを形成しないようにし、カバー本体７６ａでは、レンジ選択孔２１〜２８に対応する位置のうち、レンジ選択孔２６に対応する位置のみ貫通孔７６ｃを形成しないようにする。カバー本体７７ａでは、レンジ選択孔２１〜２８に対応する位置のうち、レンジ選択孔２７に対応する位置のみ貫通孔７７ｃを形成しないようにし、カバー本体７８ａでは、レンジ選択孔２１〜２８に対応する位置のうち、レンジ選択孔２８に対応する位置のみ貫通孔７８ｃを形成しないようにする。
また、各カバー本体７１ａ〜７８ａには、各カバー本体７１ａ〜７８ａをリング６２に取り付け又は取り外したりするための切り欠き溝７１ｄ〜７８ｄがそれぞれ形成されており、これにより各カバー本体７１ａ〜７８ａの何れかをリング６２から着脱自在となっている。このため、各カバー本体７１ａ〜７８ａの厚みは、リング６２から取り外し又は取り付けを考慮して、ある程度、容易に折れ曲がる厚み、例えば０．５ｍｍ〜１．０ｍｍ程度とすることが好ましい。
また各カバー本体７１ａ〜７８ａには、それぞれ補助目盛り７１ｅ〜７８ｅが付されている。なお、補助目盛り７１ｅ〜７８ｅについては後述する。
【００１７】
一方、図５（ａ）に示す選択孔特定用カバー群８０は、図５（ｂ）〜（ｆ）に示すように、電気計測器１に設けられているレンジ選択孔群３０のレンジ選択孔３１〜３５の数に対応した５枚の選択孔特定用カバー８１〜８５により構成される。
各選択孔特定用カバー８１〜８５は、例えば透明なアクリル板等により構成され、電圧測定用のレンジ選択孔群３０全体を覆う面積を有し、略同形状とされる各カバー本体８１〜８５ａから構成される。
各カバー本体８１ａ〜８５ａには、それぞれ一端縁から夫々突設されて対応するレンジ値が表示された見出し部８１ｂ〜８５ｂが取り付けられている。各見出し部８１ｂ〜８５ｂは、各カバー本体８１ａ〜８５ａの一端縁の異なった位置から突設しており、これにより、選択孔特定用カバー８１〜８５を積層状態で重ねた場合でも全ての見出し部８１ｂ〜８５ｂの見出し（レンジ値）が作業者から見えるようになっている。
カバー本体８１ａには、電気計測器１に設けられているレンジ選択孔３１〜３５に対応する位置にそれぞれ貫通孔８１ｃが形成されている。但し、カバー本体８１ａでは、レンジ選択孔３１〜３５のうち、レンジ選択孔３１に対応する位置のみ貫通孔８１ｃを形成しないようにしている。
【００１８】
以下同様に、カバー本体８２ａでは、レンジ選択孔３１〜３５に対応する位置のうち、レンジ選択孔３２に対応する位置のみ貫通孔８２ｃを形成しないようにし、カバー本体８３ａでは、レンジ選択孔３１〜３５に対応する位置のうち、レンジ選択孔３３に対応する位置のみ貫通孔８３ｃを形成しないようにする。カバー本体８４ａでは、レンジ選択孔３１〜３５に対応する位置のうち、レンジ選択孔３４に対応する位置のみ貫通孔８４ｃを形成しないようにし、カバー本体８５ａでは、レンジ選択孔３１〜３５に対応する位置のうち、レンジ選択孔３５に対応する位置のみ貫通孔８５ｃを形成しないようにしている。
また、各カバー本体８１ａ〜８５ａは、各カバー本体８１ａ〜８５ａをリング６２に取り付け又は取り外したりするための切り欠き溝８１ｄ〜８５ｄがそれぞれ形成されており、これにより各カバー本体８１ａ〜８５ａの何れか一枚をリング６２から着脱自在となっている。このため、各カバー本体８１ａ〜８５ａの厚みも、上記カバー本体７１ａ〜７８ａと同様、リング６２から取り外し又は取り付けを考慮して、ある程度、容易に折れ曲がる厚み、例えば０．５ｍｍ〜１．０ｍｍ程度とすることが好ましい。
また各カバー本体８１ａ〜８５ａにも、それぞれ補助目盛り８１ｅ〜８５ｅが付されている。
【００１９】
図６は、選択孔特定用カバーの着脱の様子を示した図である。
例えば、選択孔特定用カバー群７０の中から選択孔特定用カバー７１をリング６２から取り外す際には、図６（ａ）（ｂ）に示すように選択孔特定用カバー７１をリング６２とは逆の方向に引っ張ることにより、切り欠き溝７１ｄが両側に広がって隙間が広くなり選択孔特定用カバー７１だけをリング６２から容易に取り外すことができる。逆に選択孔特定用カバー７１をリング６２取り付ける際には、選択孔特定用カバー７１をリング６２の方向に押すことにより、切り欠き溝７１ｄが両側に広がって隙間が広くなり選択孔特定用カバー７１をリング６２に簡単に取り付けることができる。
【００２０】
次に、本実施形態の測定モード選択用カバーの使用方法について説明する。
図７及び図８は、本実施形態の測定モード選択用カバーの使用方法を示した図である。
先ず、交流電流測定を行う場合は、図７（ａ）に示すように、本実施形態の測定モード選択用カバー５０を電気計測器１の所定の位置にセットする。つまり、レンジカバー６０に設けられているベース部材６１の切り欠き部６１ａ、６１ｂを電気計測器１の接続端子３、４に合わせて取り付けて位置決めを行うようにする。そのうえで、レンジカバー６０の開閉片６３を下側（第１の位置）にして交流電流測定用の選択孔特定用カバー群７０を露出させるようにする。なお、開閉片６３を下側に開閉した時に開閉片６３の表面に現在の測定モードの内容を表記しておくと作業者が現在の測定モードを容易に把握することができる。
またこのとき、選択孔特定用カバー群７０は、８枚全ての選択孔特定用カバー７１〜７８が積層されているので、電気計測器１のレンジ選択孔２１〜２７の位置にそれぞれ対応する選択孔特定用カバー群７０の８個の貫通孔７０ｃは全て塞がった状態になっている。
【００２１】
次に、選択孔特定用カバー群７０の中から測定を行うレンジの見出し部７１ｂ〜７８ｂの表示に基づいて何れかの選択孔特定用カバー７１〜７８を取り外すようにする。
例えば、図７（ｂ）には、見出し部７３ｂに「０．７Ａ」と記載されている選択孔特定用カバー７３を取り外して除去した場合が示されている。この場合、選択孔特定用カバー７３を取り外すことによって、選択孔特定用カバー群７０の貫通孔７０ｃは、電気計測器１のレンジ選択孔２１〜２７のうち、「０．７５Ａ」の選択レンジに対応したレンジ選択孔２３に対応する貫通孔７０ｃのみが貫通した状態となる。これにより、図７（ｃ）に示すように、「０．７５Ａ」の選択レンジのみ選択ピン５を挿入することが可能になり、作業者が誤って他の選択レンジを選択するのを防止することができるようになる。
【００２２】
一方、交流電圧測定を行う場合は、図８（ａ）に示すように、測定モード選択用カバー５０を、レンジカバー６０のベース部材６１を基準にして位置決めしたうえで、開閉片６３を上側（第２の位置）にして交流電圧測定用の選択孔特定用カバー群８０を露出させるようにする。このとき、選択孔特定用カバー群８０は、５枚全ての選択孔特定用カバー８１〜８５が積層されているので、電気計測器１のレンジ選択孔３１〜３５の位置にそれぞれ対応する貫通孔８１ｃ〜８５ｃの５個の貫通孔８０ｃは全てが塞がった状態になっている。
【００２３】
次に、選択孔特定用カバー群８０の中から測定を行うレンジの見出し部８１ｂ〜８５ｂの表示に基づいて何れか１枚の選択孔特定用カバー８１〜８５を取り外すようにする。
例えば、図８（ｂ）には、見出し部８２ｂに「３００Ｖ」と記載されている選択孔特定用カバー８２を取り外して除去した場合が示されている。この場合、選択孔特定用カバー８２を取り外すことによって、選択孔特定用カバー群８０の貫通孔８０ｃは、電気計測器１のレンジ選択孔３１〜３５のうち、「３００Ｖ」の選択レンジに対応したレンジ選択孔３４に対応する貫通孔８０ｃのみが貫通した状態となる。これにより、図８（ｃ）に示すように、３００Ｖの選択レンジにのみ選択ピン５を挿入することが可能になり、作業者が誤って他の選択レンジを選択するのを防止することができるようになる。
また本実施形態では、図９に示すように選択孔特定用カバー群７０又は８０の中から取り外した選択孔特定用カバー、例えば図７に示す例であれば、選択孔特定用カバー７３を電気計測器１の測定表示部４０上に配置することで、選択孔特定用カバー７３上の補助目盛り７３ｅの位置が、測定表示部４０の目盛り４１の位置と一致するようなっている。これにより、作業者が測定表示部４０の目盛り４１を読み間違えるのを防止することができる。
なお、本実施形態では、電気計測器１として、図１に示した指針型の交流電流計／電圧計を例に挙げて説明したが、これはあくまでも一例であり、指針型であれば、図１０に示した直流電流計／電圧計に適用することも勿論可能である。
【符号の説明】
【００２４】
１…電気計測器、２…機器外装体、３  ４…接続端子、５…選択ピン、１０…測定レンジ選択部、２０  ３０…レンジ選択孔群、２１〜２８…レンジ選択孔、３１〜３５…レンジ選択孔、４０…測定表示部、４１…目盛り、４２…指針、５０…測定モード選択用カバー、６０…レンジカバー、６１…ベース部材、６２…リング、６３…開閉片、６３ａ…切り欠き部、７０…選択孔特定用カバー、７１…各選択孔特定用カバー、８０…選択孔特定用カバー群、８１…選択孔特定用カバー、７１〜７８  ８１〜８４…選択孔特定用カバー、７１ａ〜７８ａ  ８１ａ〜８５ａ…カバー本体、７１ｂ〜７８ｂ  ８１ｂ〜８５ｂ…見出し部、７１ｃ〜７８ｃ  ８１ｃ〜８５ｃ…貫通孔、７１ｄ〜７８ｄ  ８１ｄ〜８５ｄ…切り欠き溝
【図１】
2011220895.tif 000003
【図２】
2011220895.tif 000004
【図３】
2011220895.tif 000005
【図４】
2011220895.tif 000006
【図５】
2011220895.tif 000007
【図６】
2011220895.tif 000008
【図７】
2011220895.tif 000009
【図８】
2011220895.tif 000010
【図９】
2011220895.tif 000011
【図１０】
2011220895.tif 000012